(57)【特許請求の範囲】
【請求項１】
ユーザに対してシートを分配させるシート分配ポート（６５）を有するハウジング（４０ａ，４０ｂ）と、
前記ハウジング内部に取り付けられて、シート貯蔵ユニット（５０）、該シート貯蔵ユニットからシートを一枚ずつ摘み取る摘み取り機構（５２）、並びに、該摘み取り機構からシートを移送する第１移送機構（５５，１０６，１０８）を含む第１ユニット（４２）と、
前記ハウジング内において前記第１ユニット（４２）上に搭載されて、前記分配機構が前方ローディング形態を有するか或は後方ローディング形態を有するかに応じて、前記第１ユニットに対して選択された配向と為された第２ユニット（４４）と、
前記第２ユニットが前記第１ユニットから上方へ移送されたシートを受け取るように構成され、前記第１ユニットから受け取ったシートを前記シート分配ポート（６５）へ移送する第２移送機構（１６０，１６２或は２０６−２１４）を含んでいることと、
前記第１ユニット（４２）が、前記第１移送機構（５５，１０６，１０８）によって前記摘み取り機構から移送されたシートが通過させられるシート検査機構（５８）、前記シート検査機構によって拒絶されたシートを拒絶手段（６２）へ仕向ける転換手段（１１２）、並びに、前記シート検査機構によって受け入れられたシートを、前記分配機構が前方ローディング形態であるか或は後方ローディング形態であるかにかかわらず、単一転送ステーションを介して、前記第１ユニットから上方へ向けて前記第２ユニットまで移送する第３移送機構（１１４，１１６）を含むことと、
を含むことを特徴とするシート分配機構。
【請求項２】
前記第３移送機構（１１４，１１６）が前記第１ユニット（４２）からシートを略垂直方向へ移送するように構成されていることを特徴とする、請求項１に記載のシート分配機構。
【請求項３】
前記第１ユニット（４２）が第１及び第２位置選定手段（１９０）を有し、前記第２ユニット（４４）が該第２ユニットを前記第１ユニットに対して位置選定する目的で前記第１及び第２位置選定手段と協働するように配列されている第３及び第４位置選定手段（１９１）を有し、前記第１及び第２の位置選定手段と前記第３及び第４の位置選定手段とが前記第１ユニットからのシートの移送路に対して対称的に位置決めされていることを特徴とする、請求項１乃至２に記載のシート分配機構。
【請求項４】
前記第２ユニット（４４）が前記第１ユニット（４２）上に着脱自在に搭載されていることを特徴とする、請求項１乃至３に記載のシート分配機構。
【請求項５】
前記第１ユニット（４２）が前記第１及び第３移送機構（１０６，１０８，１１４，１１６）を駆動するように配列されたモータ（１１８）を含むことを特徴とする、請求項１乃至４に記載のシート分配機構。
【請求項６】
前記第１移送機構（１０６，１０８）が、略水平供給路に沿ってシートを前記シート検査機構（５８）まで移送するように配列されており、前記転換機構（１１２）が、前記シート検査機構によって拒絶されたシートを前記水平供給路の継続部に沿って前記拒絶手段（６２）まで仕向けるように、また前記シート検査機構によって受け入れられたシートを前記水平供給路から遠ざかるように上方へ仕向けるように配列されていることを特徴とする、請求項１乃至５に記載のシート分配機構。
【請求項７】
前記転換機構（１１２）が、電源故障時に前記第３移送機構（１１４，１１６）内に存する任意のシートを前記拒絶手段まで仕向け、そして電力の復旧に続いて、そのシートが前記第３移送機構によって下方へ引き続き移送されることを特徴とする、請求項６に記載のシート分配機構。
【請求項８】
前記水平供給路に沿ってシートを移送する前記第１移送機構が、エンドレス・ベルト・ユニット（１０８）及び協働する滑り止めプレート（１０６）を備え、前記第３移送機構が、エンドレス・ベルト・ユニット（１１６）及び協働する滑り止めプレート（１１４）を備えることを特徴とする、請求項６乃至７に記載のシート分配機構。
【請求項９】
前記ハウジングが貯蔵庫（４０ａ，４０ｂ）であることを特徴とする、請求項１乃至８に記載のシート分配機構。
【請求項１０】
前記シート貯蔵ユニットが少なくとも１つの取り外し可能な紙幣カセット（５０）を備え、前記第２ユニット（４４）が、前記ＡＴＭが前方ローディング形態であるか或は後方ローディング形態であるかに依存して、前記第１ユニットに対して選択された配向で、前記ハウジング内において、該第１ユニット（４２）上に搭載されており、前記シート検査機構が前記第１移送機構（５５，１０６，１０８）によって前記摘み取り機構（５２）から移送された紙幣が通過させられる紙幣確証器（５８）であり、前記転換機構（１１２）が前記紙幣確証器（５８）によって拒絶された紙幣を前記拒絶手段（６２）内へ仕向けるように配列されており、前記第３移送機構（１１４，１１６）が、前記ＡＴＭが前方ローディング形態であるか或は後方ローディング形態であるかにかかわらず前記紙幣確証器によって受け入れられた紙幣を、単一転送ステーションを介して、前記第１ユニットから上方へ向けて前記第２ユニット（４４）まで移送するように配列されており、前記ハウジング（４０ａ，４０ｂ）内において前記分配ポート（６５）を介してＡＴＭユーザに対して紙幣を分配する現金自動入出機（ＡＴＭ）（１０）に組み込まれている、請求項１乃至９に記載のシート分配機構。
【発明の詳細な説明】
【０００１】
【発明の属する技術分野】
本発明はシート分配機構に関する。
【０００２】
【従来の技術】
本発明は、例えば現金自動入出機（ＡＴＭ）のキャッシュ（現金）分配機構に対する用途がある。ＡＴＭはユーザ・コンソールを有して、顧客にマシンの操作を可能とさせている。キャッシュ分配機構は、典型的には、関連された通貨又は紙幣のカセットから一枚ずつ通貨又は紙幣を抽出する少なくとも１つの通貨選択機構と、その通貨をＡＴＭの出口スロットへ提供する提供機構とを含む。
【０００３】
ＡＴＭのキャッシュ分配機構は、紙幣カセットがＡＴＭ後方において該分配機構から取り除かれ、そしてＡＴＭ後方から該分配機構に入れられて交換される後方ローディング・タイプであることが可能であり、これはユーザ・コンソールとは反対側であるが、紙幣カセットがＡＴＭ前方において該分配機構から取り除かれ、そしてＡＴＭ前方において該分配機構に入れられて交換される前方ローディング・タイプであることも可能である。通常、壁を通じてのＡＴＭではユーザ・コンソールが銀行或は他の建物の壁に取り付けられて、後方ローディング・タイプのキャッシュ分配機構を含んでいる一方で、銀行或は他の建物の内部に配置されたロビー内ＡＴＭは後方ローディング・タイプか或は前方ローディング・タイプの何れかのキャッシュ分配機構を含むことができる。
【０００４】
加えて、ＡＴＭの分配機構は、非バンドル（束）方式（スプレー・ディスペンサ(spray dispenser)として周知）で一枚ずつ紙幣を搬送するタイプか、或は、紙幣のスタック又は束をユーザに搬送する（バンチ・ディスペンサ(bunch dispenser)として周知）のタイプが可能である。
【０００５】
ＧＢ-Ａ-２１０６６８７からは、前方ローディング形態或は後方ローディング形態の何れかを有するように変更可能であるキャッシュ分配機構が知られている。この公知の機構は上方及び下方ユニットを備え、上方ユニットはスタッキング手段と、紙幣のスタックを出口ポートへ供給し且つ拒絶された紙幣を当該機構の後方に位置決めされた拒絶紙幣容器に供給する移送手段とを収容しており、下方ユニットは紙幣分配コンパートメントと、紙幣を上方ユニットへ供給する移送手段とを収容している。下方ユニット全体は、据え付けの際、上方ユニットに対して１８０°回転可能であり、それによって据え付けられるキャッシュ・ディスペンサは前方ローディング或は後方ローディングの何れかとなることが可能である。この構成は製造業者の生産性を向上する潜在的な長所を有し、それは、前方ローディング動作用と後方ローディング動作用の２つの異なるタイプのキャッシュ分配機構を製造する必要性がないからである。しかしながら、この公知のキャッシュ分配機構は、該機構が前方ローディング形態であるのか或は後方ローディング形態であるのかに依存して、下方ユニットから上方ユニットへの紙幣の転送が２つの別々の転送ステーションの内の一方或は他方で行われるという事実によって、複雑性が導入される短所を有する。例えば、調整可能な転換手段が必要とされ、そうした転換手段は紙幣のジャム又は紙詰まりを引き起こしがちである。
【０００６】
【発明が解決しようとする課題】
本発明の目的は、前方ローディング形態か或は後方ローディング形態かの何れかとなり得て、単純な構造であるシート分配機構を提供することである。
【０００７】
【課題を解決するための手段】
本発明に従えば、シート分配機構が提供され、該シート分配機構が、前記機構のユーザに対してシートを分配させるシート分配ポートを有するハウジングと、前記ハウジング内部に取り付けられて、シート貯蔵手段、該シート貯蔵手段からシートを一枚ずつ摘み取る摘み取り手段、並びに、該摘み取り手段からシートを移送する第１移送手段を含む第１ユニットと、前記ハウジング内において前記第１ユニット上に搭載されて、前記分配機構が前方ローディング形態を有するか或は後方ローディング形態を有するかに応じて、前記第１ユニットに対して選択された配向と為された第２ユニットであり、前記第１ユニットから上方へ移送されたシートを受け取るように構成され、前記第１ユニットから受け取ったシートを前記シート分配ポートへ移送する第２移送手段を含む第２ユニットと、を備える。また、前記第１ユニットは、前記第１移送手段によって前記摘み取り手段から移送されたシートが通過させられるシート検査手段と、前記シート検査手段によって拒絶されたシートを拒絶手段へ仕向ける転換手段と、前記シート検査手段によって承認されたシートを、前記分配機構が前方ローディング形態であるか或は後方ローディング形態であるかにかかわらず単一転送ステーションを介して、前記第１ユニットから上方へ向けて前記第２ユニットまで移送する第３移送手段とを含む。
【０００８】
以下、本発明の実施例が添付図面を参照して説明される。
【０００９】
【発明の実施の形態】
添付図面中の図１及び図２で先ず参照されように、ＡＴＭ１０はユーザ情報を表示するディスプレイ１２と、データを入力するキーパッド１４と、カード・スロット１８を介してユーザ識別カードを受け取るカード・リーダ１６と、取引中に内部に貯蔵された紙幣をスロット２２を介してユーザに分配するキャッシュ（現金）分配機構２０と、ユーザによって為された取引を確認する受領書を印刷して該受領書をスロット２６を介してユーザへ発行する受領書プリンタ２４と、ディスプレイ１２、キーパッド１４、カード・リーダ１６、キャッシュ分配機構２０、並びに受領書プリンタが接続されたデータ処理手段２８と、を備える。
【００１０】
引出を行うために、ユーザは自身の識別カードをＡＴＭ１０のカード・スロット１８に挿入する。そのカード上の磁気ストリップに含まれたデータがカード・リーダ１６で読取られ、データ処理手段２８によってホストコンピュータ３０へ伝送される。ユーザはキーパッド１４を介してユーザ自身の個人識別番号を入力することによってユーザ自身を識別する。もしホストコンピュータ３０がそのカードを承認すれば、先ずその取引の詳細を入力することによって、例えば、キーパッド１４によって引出額を入力することによって、ユーザはユーザ自身の引出を進めることができる。
【００１１】
次に図３を参照すると、後方ローディング形態を有するキャッシュ分配機構２０が示されている。このキャッシュ分配機構２０は、下方ユニット４２及び上方ユニット４４が内部に収容されている金庫或は貯蔵庫４０ａを備える。この貯蔵庫４０ａはＡＴＭ１０のハウジング４５内に据え付けられている（図１を参照）。下方ユニット４２は下方区画４６及び上方区画４８を有する。この下方ユニット４２の下方区画４６内部には、従来の摘み取り機構５２に関連されている紙幣又は通貨カセット５０が搭載されている。理解して頂きたいことは、上方ユニット４４は、キャッシュ分配機構２０が後方ローディング形態を有するという事実によって決定される下方ユニット４２に対して選択された配向で、該下方ユニット４２上に搭載されている。
【００１２】
キャッシュ引出の要求が為されて承認されると、データ処理手段２８（図２参照）が摘み取り機構５２に少なくとも１つのカセット５０から公知方式で紙幣を摘み取らせる。各紙幣は一枚ずつ摘み取られて、それら紙幣は、個別に、下方区画４６内に含まれる従来の紙幣移送手段５５によって供給路（矢印５４で示される）に沿って進まされる。この供給路は紙幣を下方区画４６から上方区画４８における従来型の紙幣の確証器(validator)５８へ取り込む。もし紙幣確証器５８がその紙幣を確証すると、紙幣は水平供給路６０に沿って先ず移送されてから、供給路６１に沿って下方ユニット４２から上方ユニット４４内へ垂直方向へ移送される。もし確証器５８が紙幣を受け入れなければ又は確証しなければ（例えば、もし紙幣が多重的な紙幣であれば）、その紙幣は拒絶され、供給路６０の継続である水平供給路６３を介してパージ・ビン(purge bin)６２内へ仕向けられる。下方ユニット４２から垂直方向へ移送された紙幣は、貯蔵庫４０ａ内のスロット６５を介してから、ＡＴＭ１０のハウジングにおける搬送スロット２２（図１参照）を介してユーザへ搬送されていく供給路６４を介して上方ユニット４４中を通過する。後でより詳細に説明するように、上方ユニット４４の形態に依存して、紙幣は積み重ねて又はスタックしてからユーザに束として搬送されるか、或はユーザに一枚ずつ搬送されるかの何れかである。
【００１３】
貯蔵庫４０ａはその背後側にドア６６を有して（即ち、ＡＴＭ１０の前方とは反対側）、紙幣カセット５０及びパージ・ビン６２にアクセスすることを可能としている。
【００１４】
図４を参照すると、前方ローディング形態を有するキャッシュ分配機構２０が示されている。この前方ローディング機構２０の構造は図３に示される後方ローディング機構２０の構造と比べて、以下の相違点を除いて同一である。第１として、上方ユニット４４は下方ユニット４２上に、図３に示される第１配向に対して１８０°にわたって回転された配向で搭載されている。第２として、カセット５０及びパージ・ビン６０へのアクセスを可能とする貯蔵庫４０ｂのドア６６は該貯蔵庫４０ｂの前方側であり（即ち、ＡＴＭ１０の前方に対応する側）、そして出口スロット６５はドア６６内である。
【００１５】
図５を参照すると、下方及び上方のユニット４２，４４のアセンブリが貯蔵庫４０ａ或は４０ｂへどのように入れられるか或はそれらから出されるかが示されている。クレドール又は受台８０が貯蔵庫４０ａ或は４０ｂのルーフの下側に連結されている。下方及び上方ユニット４２，４４のアセンブリは従来の支持フレームワーク８２で保持されている。フレームワーク８２の両側にそれぞれ設けられた２つのスライド部８４は、クレドール８０内に設けられた２つのチャネル内に摺動自在に係合し、それでアセンブリ４２，４４は貯蔵庫４０ａ或は４０ｂに対しての摺動的な出し入れが為され得るようになっている。
【００１６】
図６を参照すると、下方ユニット４２の上方区画４８が詳細に示されている。この上方区画４８は、これ以降、コア・モジュール４８と云う。
【００１７】
コア・モジュール４８は一対の協働するローラ・ユニット１００，１０２を含み、その各々が各シャフト１０３に沿って離間された一連の個別ローラを含む。ローラ・ユニット１００，１０２の対は、移送手段５５によって下方区画４６から上方へ移送させられた紙幣を受け取って供給する。水平滑り止めプレート１０６の湾曲末端区画１０４はローラ・ユニット１０２の個別ローラで変化が与えられている。コア・モジュール４８のローラ・ユニット１００，１０２によって受け取られて供給される各紙幣の先導エッジは、ガイド手段（不図示）によって滑り止めプレート１０６の直上に配置されると共に該滑り止めプレートと協働的に係合するベルト・ユニット１０８と接触させられる。次いで紙幣はベルト・ユニット１０８によって滑り止めプレート１０６に抗して加圧され、該ベルト・ユニット１０８によって従来型の紙幣確証器５８を通過するように公知の２位置転換ゲート１１２まで移送させられる。もし紙幣が確証器５８によって受け入れ可能となると、転換ゲート１１２はその紙幣を、垂直方向に延在する滑り止めプレート１１４と該滑り止めプレート１１４に対して協働的な係合状態にあるベルト・ユニット１１６とを含む更なる移送手段の入口スロート１１３内へ仕向ける。ベルト・ユニット１１６は紙幣を滑り止めプレート１１４に抗して加圧し、その紙幣をユニット４２から上方へ移送してユニット４４内に入れる。もし紙幣が確証器５８によって受け入れ不可能となれば、該紙幣はデータ処理手段２８の制御下である転換ゲート１１２によってパージ・ビン６２内へ仕向けられる。ベルト・ユニット１１６はベルト・ユニット１０８よりも僅かに高速で走って端って、紙幣の移送方向変化を補助する。両ベルト・ユニット１０８，１１６はリバーシブルＤＣモータ１１８によって駆動され、そのモータの動作はデータ処理手段２８によって制御される。理解して頂きたいことは、ベルト・ユニット１０８，１１６の各々が２組の支持プーリを巡って延在している複数のエンドレスベルトを含むことであり、各組の複数プーリは共通シャフトに沿って相互に離間している。各ベルト・ユニット１０８或は１１６の１組のプーリはそのベルト・ユニットのドライブ・プーリとして役立っている。
【００１８】
もし紙幣が垂直滑り止めプレート１１４及びベルト・ユニット１１６間に存在している間に電源故障があれば、電力が復旧されるとその紙幣をパージ・ビン６２へ仕向けるように転換ゲート１１２をセットさせることができる。
【００１９】
図７で参照されるように、２位置転換ゲート１１２は２つのフリッパー１２２，１２４を含み、それらフリッパーは、ゲート１１２が紙幣を水平滑り止めプレート１０６及びベルト・ユニット１０８から、垂直滑り止めプレート１１４及びベルト・ユニット１１６へ仕向けるようにセットされている際、実線の輪郭で示される位置にある。フリッパー１２２，１２４は、ゲート１１２が紙幣を水平滑り止めプレート１０６及びベルト・ユニット１０８を含む移送手段からか、或は垂直滑り止めプレート１１４及びベルト・ユニット１１６を含む移送手段からかの何れか一方から、パージ・ビン６２内へ仕向けるようにセットされている際、２点破線の輪郭で示される位置にある。
【００２０】
図８で参照されるように、ベルト・ユニット１０８，１１６のドライブ又は駆動は、ギヤ・ホィール１３２回りに取り付けられると共にそれによって支持されたタイミングベルト１３０を介してモータ１１８によって提供される。ギヤ・ホィール１３２はモータ１１８のシャフト上と、ベルト・ユニット１０８，１１６の支持プーリ１３４が取り付けられたシャフト上にそれぞれ取り付けられている。タイミングベルトとしては、滑りを防止すると共に関連されたギヤ・ホィールの歯に係合する溝を有する公知タイプのベルトである。こうして、１つのタイミングベルト１３０はモータ１１８から第１ベルト・ユニット１０８の一方端におけるドライブ・プーリ１３４まで駆動を伝達している。第２タイミングベルト１３０は、第１ベルト・ユニット１０８の２つの端部とそれぞれ関連された２つのギヤ・ホィール１３２を一体的に接続している。第３タイミングベルト１３０は、第２ベルト・ユニット１１６の２つの端部とそれぞれ関連された２つのギヤ・ホィール１３２を一体的に接続している。ベルト・ユニット１０８と関連されたタイミングベルト及びギヤ・システムからの駆動は、ベルト・ユニット１１６に関連されたタイミングベルト及びギヤ・システムへ更なるギヤ（不図示）を介して伝達され、それによって、上述したように、ベルト・ユニット１１６はベルト・ユニット１０８よりも幾分高速で駆動されるようになっている。アイドラー・ギヤ１３６を含むと共に、ベルト・ユニット１０８と関連されたタイミングベルト及びギヤ・システムに作動的に結合されているギヤ・システムはモータ１１８に、キャッシュ分配機構２０の下方ユニット４２における下方区画４６の摘み取り機構５２を駆動させている。もし上方ユニット４４が紙幣を積み重ねる（スタック状に為す）タイプであれば、アイドラー・ギヤ（不図示）を含むと共にベルト・ユニット１１６と関連されたタイミングベルト及びギヤ・システムに作動的に結合されている別のギヤ・システムが、その上方ユニット４４の部分を駆動すべく役立つことになる。
【００２１】
コア・ジュール４８は別体のユニットとして説明され、下方ユニット４２の残りの部分とはそれに取り付けられる前に独立して製造され得る。代替的には、コア・モジュール４８の特徴又は構成を組み入れている下方ユニット４２全体は１つの完結ユニットとして製造され得る。
【００２２】
図９で参照されるように、後方ローディング式のスプレー型キャッシュ分配機構２０の上方ユニット４４が詳細に示されている。
【００２３】
この上方ユニット４４は、滑り止めプレート１６０の直上に配置された水平延在ベルト・ユニット１６２に作動的に関連されている水平滑り止めプレート１６０を含む。ベルト・ユニット１０８及び１１６と同様に、ベルト・ユニット１６２は２組のプーリを巡って延在すると共に該プーリによって支持されている複数の個別エンドレス・ベルトを含む。コア・ユニット４８から上方へ移送された紙幣の先導エッジはベルト・ユニット１６２と接触する。ベルト・ユニット１６２は、コア・モジュール４８の第２ベルト・ユニット１１６よりも僅かに高速で駆動されて、紙幣の移動方向を変化させる。湾曲ガイド１６６も紙幣の方向付けを補助している。紙幣はベルト・ユニット１６２によって滑り止めプレート１６０に抗して加圧され、上方ユニット４４から貯蔵庫４０ａにおけるスロット６５を通って、そしてＡＴＭ１０のハウジングにおける出口スロット２２（図１）を介して、ユーザによる収集のためのトレイ（不図示）内へ移送される。データ処理手段２８によって制御される従来のシャッタ手段（不図示）が、紙幣がユーザに対して提供されようとしていない際にその出口スロット２２を閉塞する。
【００２４】
もし電源故障があれば、その電源故障時に紙幣がベルト・ユニット１６２及び水平滑り止めプレート１６０の間に存在する可能性があり得る。電力の復旧に及んで、データ処理手段２８はＤＣモータ１１８（図１０参照）の動作を、それ故にベルト・ユニット１６２の移動方向を、短時間逆転して、ベルト・ユニット１６２及び滑り止めプレート１６０の間に存在する任意の紙幣がスロット６５から遠ざかって、該スロット６５から隔たった上方ユニット４４の端部に隣接して配置されているパージ・ビン１７０内へ移送される。
【００２５】
図１０で参照されるように、ＤＣモータ１１８及びベルト・ユニット１６２の駆動プーリ組に作動的に関連されたタイミングベルト１８０は及びギヤ・ホィール１８２は、ＤＣモータ１１８からベルト・ユニット１６２への駆動伝達に役立っている。
【００２６】
後方ローディング式のスプレー分配型キャッシュ分配機構２０とは対照的に、前方ローディング式のスプレー分配型キャッシュ分配機構２０の場合、上方ユニット４４は下方ユニット４２に対する取付に先行して該下方ユニット４２に対して１８０°単純に回転させられている。
【００２７】
上方ユニット４４は下方ユニット４２上に着脱自在に搭載される。下方ユニット４２には第１及び第２位置選定手段１９０（図６、図８、並びに、図１０参照）が具備され、それらが、支持フレームワーク８２（図５参照）内において、上方ユニット４４のコア・モジュール４８に対する位置決めをするための第３及び第４位置選定手段１９１（図９及び図１０参照）とそれぞれ協働する。従来のクランプ（不図示）は、下方及び上方ユニット４２，４４を一体的に保持すべく各一対の協働する位置選定手段１９０，１９１間に嵌合する。位置選定手段１９０及び１９１は、下方ユニット４２から上方ユニット４４への紙幣の垂直供給路６１に対して対称的に配置されて、前方及び後方のローディング形態間の相互交換を可能としている。留意すべきことは、より長いタイミングベルト１８０が用いられて、ＤＣモータ１１８から、前方ローディング式のスプレー分配型キャッシュ分配機構２０の上方ユニット４４におけるベルトユニット１６２まで駆動が伝達されており、ギヤ１８２はベルト・ユニット１６２の駆動プーリ組の何れかの端部に設けられて、上方ユニット４４の構造は前方及び後方のローディング式のスプレー分配型キャッシュ分配機構の双方に対して本質的には同一であることである。
【００２８】
図１１を参照すると、後方ローディング式のバンチ分配型キャッシュ分配機構２０の上方ユニット４４が詳細に示されている。下方におけるコア・モジュール４８の輪郭は明瞭化の目的で２点破線の輪郭で示されている。
【００２９】
上方ユニット４４は、垂直滑り止めプレート２００と、ベルト・ユニット１１６に対する構造と同様である協働的なベルト・ユニット２０２とを含む。コア・モジュール４８から上方ユニット４４まで上方へ移送される個々別々の紙幣は、滑り止めプレート２００及びベルト・ユニット２０２の間で受け取られて、該ベルト・ユニット２０２で上方へ供給される。ベルト・ユニット２０２で上方へ供給される紙幣の先導エッジは、該ベルト・ユニット２０２の上方端部直上に配置されている水平方向に延在するベルト・ユニット２０６との接触を為す。ベルト・ユニット２０６はベルト・ユニット２０２よりも僅かに高速で駆動されて、紙幣の移動方向変更を補助する。ベルト・ユニット２０６によって紙幣は協働的な水平方向に延在する滑り止めプレート２０８に抗して加圧されて、該ベルト・ユニット２０６によって公知の積み重ね（スタッキング）ユニット２１０内へ供給される。スタッキング・ユニット２１０は貯蔵庫４０ａにおけるスロット６５に隣接する位置から、垂直方向延在滑り止めプレート２００から隔たった滑り止めプレート２０８の端部から下方へ延在すると共に該端部と一体的な停止部材２１２まで、下方へ傾斜する支持プレート２１１を含む。従来の可撓性ストラップ・フリッカー・ホィール２１３が用いられて、移送された紙幣を支持プレート２１１上に押し下げており、該フリッカー・ホィール２１３のストラップが滑り止めプレート２０８及び停止部材２１２内に形成された複数のスロット（不図示）を通って延在している。またスタッキング・ユニット２１０は旋回自在に取り付けられたベルト・ユニット２１４をも含み、該ベルト・ユニットが、その常時静止位置にある際、支持プレート２１１の直下に位置決めされる共に、該支持プレート２１１に平行して延在している。ひとたび要求された紙幣の束（バンチ）２１６が支持プレート２１１上に積み重ねられると、ベルト・ユニット２１４はシャフト２１８回りを時計方向に旋回させられて（図１１を参照のこと）、紙幣の束２１６がプレート２１１から持ち上げられて、その束２１６がベルト・ユニット２０６と接触させられる。理解して頂くべきことは、ベルト・ユニット２１４がシャフト２１８に平行する方向に離間されている複数の別個のエンドレス・ベルトを含み、それらエンドレス・ベルトがユニット２１４の旋回移動中に支持プレート２１１に形成された複数スロット（不図示）を通過していることである。次いで、協働するベルト・ユニット２０６，２１４は束２１６を貯蔵庫４０ａのスロット６５へ向けて移送して、その束２１６がＡＴＭ１０のハウジング４５における整列された出口スロット２２（図１）を介して該ＡＴＭ１０のユーザに提供される。先に説明されたスプレー分配型キャッシュ分配機構の場合のように、データ処理手段２８によって制御される従来のシャッタ手段（不図示）は、紙幣がユーザに提供されていない際に出口スロット２２を閉塞する。
【００３０】
もしユーザに提供された紙幣の束２１６が所定の短時間の間にユーザによって取られなければ、第２及び第３のベルト・ユニット２０６，２１４が逆転させられ、その束２１６がキャッシュ分配機構２０の上方ユニット４４内に引き戻されて、パージ・ビン２２０内に入るように転換させられる。転換ゲート２２２は起動されて、束２１６がパージ・ビン２２０内へ向けて仕向けられ、下方のコア・モジュール４８内へ戻されないことを確保する。通常の、転換ゲート２２２の非起動位置は実線の輪郭で示され、その起動位置は２点破線の輪郭で示されている。ガイド２２４及びフォーム・ローラ２２６は紙幣をパージ・ビン２２０内へ仕向けている。
【００３１】
図１１に示される上方ユニット４４のベルト・ユニット２０６は、スプレー・ディスペンサに対して説明されたのと同様な方法でタイミングベルト２３０（破線の輪郭で示されている）を介して、上方ユニット４４におけるモータ２２８で駆動されている。モータ２２８は、公知の方法で、フリッカー・ホィール２１３を駆動するためにも使用されている。ベルト・ユニット２０２は、図８に示されるアイドラー・ギヤ１３６を介して、コア・モジュール４８のＤＣモータ１１８から駆動されている。ベルト・ユニット２１４に対する駆動はギヤ手段（不図示）を介してベルト・ユニット２０６から伝達されるが、別個の起動手段がベルト・ユニット２１４を旋回すべく設けられる。モータ２２８とベルト・ユニット２１４及び転換ゲート２２２に対する起動手段とは、全てＡＴＭ１０のデータ処理手段２８の制御下である。
【００３２】
図１２を参照すると、前方ローディング式のバンチ分配型キャッシュ分配機構２０の上方ユニット４４が示されている。図１１に示される上方ユニット４４との主な相違点は、モータ２２８及びパージ・ビン２２０の位置が置き換わっていることである。結果として、転換ゲート２２２は水平滑り止めプレート２０８内に設けられた間隙２３２に再度位置決めされて、回収された紙幣束が、フォーム・ローラ２３３と、水平滑り止めプレート２０８の分離区画と一体的に形成されたガイド２３４との補助でパージ・ビン２２０内へ転換させられる。加えて、湾曲ガイド２３６が垂直滑り止めプレート２００の上部に設けられて、紙幣の移動方向を変更する補助を為している。ベルト・ユニット２０６はタイミングベルト２３８を介してモータ２２８で駆動されている。
【００３３】
バンチ分配型キャッシュ分配機構２０の上方ユニット４４は、スプレー分配型キャッシュ分配機構の上方ユニット４４に対して説明されたものと同様に、位置選定手段１９０，１９１及びクランプを利用して、下方ユニット４２上に着脱自在に搭載されている。
【００３４】
本発明に従ったキャッシュ分配機構は、該機構が後方ローディング形態或は前方ローディング形態を有するか否かにかかわらず、且つ、上方ユニット４４がユーザに対しての紙幣提供に関して、スプレー方法或はバンチ方法の何れを利用していようかにかかわらず、同一の下方ユニット４２を組み入れるという長所を有する。こうして、製造コストに関する相当な節約が達成される。更には、確証器５８及びパージ・ビン６２等の多くの標準構成を下方ユニット４２内に含ませることで、異なるタイプの上方ユニット４４の構造が簡略化される。そうした簡略化によって、本質的に同一の上方ユニットが、後方アクセス及び前方アクセスのスプレー搬送タイプのユニットの双方に対して使用される一方で、後方アクセス搬送タイプの上方ユニットは前方アクセス・バンチ搬送タイプの上方ユニットと多くの同様構成を共有して、製造コストに関しての更なる節約を達成させている。
【００３５】
本発明に従ったキャッシュ分配機構の別の長所は、もし上方ユニットが交換を必要とすれば、下方ユニットからその上方ユニットを除去してそのオリジナルの上方ユニットを新しい上方ユニットと置き換えるという単純な事柄となっていることである
【図面の簡単な説明】
【図１】本発明に係る分配機構を含むべく適合されたロビー内ＡＴＭの斜視図である。
【図２】図１に示されたＡＴＭのブロック線図である。
【図３】本発明に係る、後方ローディング形態を有するキャッシュ分配機構の概略構成図である。
【図４】本発明に係る、前方ローディング形態を有するキャッシュ分配機構の概略構成図である。
【図５】図３或は図４に示されたキャッシュ分配機構の組立の一段階工程を示す概略構成図である。
【図６】図３或は図４の何れかにおけるキャッシュ分配機構のコア・モジュールの部分断面を含む側面図である。
【図７】図６に示されたコア・モジュールに使用される二位置転換ゲートの拡大側面図である。
【図８】コア・モジュールに対する駆動機構の一部を追加的に示している、図６に示された該コア・モジュールの更なる側面図である。
【図９】図３に示されたキャッシュ分配機構でのスプレー分配型の上方ユニットの部分断面を含む側面図である。
【図１０】上方ユニットに対する駆動機構の一部を追加的に示している、図９に示された該上方ユニット更なる側面図である。
【図１１】図３に示された後方ローディング式のキャッシュ分配機構におけるバンチ分配型の上方ユニットの部分断面を含む側面図である。
【図１２】図４に示された前方ローディング式のキャッシュ分配機構におけるバンチ分配型の上方ユニットの部分断面を含む側面図である。
【符号の説明】
１０，２０  ＡＴＭ（現金自動入出機）
１２  ディスプレイ
１４  キーパッド
１６  カード・リーダ
１８  カード・スロット
２２  キャッシュ搬送スロット
２６  受領書搬送スロット
４０ａ，４０ｂ  貯蔵庫
４２  下方ユニット
４４  上方ユニット
４５  ハウジング
４６  下方区画
４８  上方区画（コア・モジュール）
５０  紙幣（通貨）カセット
６１  転送ステーション
６２，２２０  パージ・ビン
６５  出口スロット
６６  ドア
８２  支持フレームワーク
１１２，２２２  転換ゲート
【図１】
0004274396.tif 000002
【図２】
0004274396.tif 000003
【図３】
0004274396.tif 000004
【図４】
0004274396.tif 000005
【図５】
0004274396.tif 000006
【図６】
0004274396.tif 000007
【図７】
0004274396.tif 000008
【図８】
0004274396.tif 000009
【図９】
0004274396.tif 000010
【図１０】
0004274396.tif 000011
【図１１】
0004274396.tif 000012
【図１２】
0004274396.tif 000013